(57)【要約】【課題】第２風路を選択してショーケース本体内の一部を冷却する際、冷却商品とそれ以外の商品との割合を変更できるショーケースを提供する。【解決手段】分岐ダクト８の下方の商品を冷却し、分岐ダクト８の上方の商品を非冷却とする第２風路Ｈ２を備えたオープンショーケース１において、分岐ダクト８は、各商品棚５を支持する棚受け４のうち、少なくとも上下２以上の棚受け４に着脱可能となっている。これにより、第２風路Ｈ２を通じて冷風を循環する際、分岐ダクト８を上位の棚受け４１に設置するときは、分岐ダクト８の下方に形成される冷却領域が大きくなる。一方、分岐ダクト８を下位の棚受け４２に設置するときは、分岐ダクト８の下方の冷却領域が小さくなる。【選択図】  図１
2004286350.tif 000002
【特許請求の範囲】
【請求項１】
冷風をショーケース本体の前面部、底面部、背面部、天井部及び該前面部と順次循環して上下複数段に配置された商品棚の前方にエアーカーテンを形成する第１風路と、該背面部の途中から該前面部に向かって延在された分岐ダクトを有し該背面部に流れる冷風を該分岐ダクトを介して該前面部に通風し各商品棚の前方にエアーカーテンを形成する第２風路とを備えたショーケースにおいて、
前記分岐ダクトは、前記各商品棚を支持する棚受けのうち、少なくとも上下２以上の棚受けに着脱可能となっている
ことを特徴とするショーケース。
【請求項２】
前記分岐ダンパは、
前記第１風路の背面部を開閉自在に仕切る冷気ダクト仕切ダンパと、前記ショーケース本体の側面壁との間隙を開閉する庫内仕切ダンパとを有する
ことを特徴とする請求項１記載のショーケース。
【請求項３】
前記庫内仕切ダンパは前記側面壁に向かって摺動自在に案内する庫内仕切ダンパ用案内部材と、該庫内仕切ダンパを任意の摺動位置で固定可能な固定部材とを有する
ことを特徴とする請求項２記載のショーケース。
【請求項４】
前記庫内仕切ダンパで前記側面壁側の端部には庫内仕切用パッキンを有する
ことを特徴とする請求項３記載のショーケース。
【請求項５】
前記冷気ダクト仕切ダンパは前記第１風路の背面部に向かって摺動自在に案内する冷気ダクト仕切ダンパ用案内部材と、該冷気ダクト仕切ダンパを任意の摺動位置で固定可能な固定部材とを有する
ことを特徴とする請求項２記載のショーケース。
【請求項６】
前記第１風路の背面部の後面で前記冷気ダクト仕切ダンパと対向する部位には風路仕切用パッキンを有する
ことを特徴とする請求項５記載のショーケース。
【発明の詳細な説明】
【０００１】
【発明の属する技術分野】
本発明は、ショーケース本体内の全商品冷却と一部商品冷却を選択的に行うことができるショーケースに関するものである。
【０００２】
【従来の技術】
従来、この種のショーケースとして特開２００２−１６８５５４号公報に記載されたものが知られている。
【０００３】
このショーケースは、庫内に複数段に商品棚を配置したオープンショーケースであり、各商品棚に置かれた全ての商品を冷却する場合と一部の商品を冷却する場合とでは異なる風路を選択する。即ち、全商品を冷却するときは、冷却装置で生成された冷風をショーケース本体の前面部→底面部→背面部→天井部→前面部と順次循環する（冷風の第１風路循環）。これにより、ショーケース本体の内部全体を冷却する。
【０００４】
一方、上位の商品棚に置かれた商品を加熱し、その下方の商品棚に置かれた商品を冷却するときは、第１風路の背面部側の途中を分岐ダンパのダンパで閉鎖する。これにより、背面部側に流通する冷風が分岐ダクトに流れる。ここで、分岐ダクトは第１風路の背面部から前面部に延在されたダクトとなっているため、分岐ダクトに流通する冷風がショーケース本体の前面部の途中に至り、前面部の途中から下方に向かって吹き出され、ショーケース本体の下部側で上下方向の冷気循環が行われる（冷風の第２風路循環）。これにより、下方の商品棚に置かれた商品のみが冷却される。なお、上位の商品棚については、それに設置された電熱ヒータに通電して商品加熱が行われる。
【０００５】
【特許文献１】
特開２００２−１６８５５４号公報
【０００６】
【発明が解決しようとする課題】
しかしながら、前記従来のショーケースでは、分岐ダクトの設置位置が一箇所に固定されているため、第２風路で冷気を循環して一部冷却する際、冷却商品範囲と加熱商品範囲が一律に決定され、冷却商品と加熱商品との割合を変更することができなかった。
【０００７】
本発明の目的は前記従来の課題に鑑み、第２風路を選択してショーケース本体内の一部を冷却する際、冷却商品とそれ以外の商品との割合を変更できるショーケースを提供することにある。
【０００８】
【課題を解決するための手段】
本発明は前記課題を解決するため、請求項１の発明は、冷風をショーケース本体の前面部、底面部、背面部、天井部及び該前面部と順次循環して上下複数段に配置された商品棚の前方にエアーカーテンを形成する第１風路と、背面部の途中から前面部に向かって延在された分岐ダクトを有し背面部に流れる冷風を分岐ダクトを介して前面部に通風し各商品棚の前方にエアーカーテンを形成する第２風路とを備えたショーケースにおいて、分岐ダクトは、各商品棚を支持する棚受けのうち、少なくとも上下２以上の棚受けに着脱可能となっている。
【０００９】
請求項１の発明によれば、第２風路を通じて冷風を循環する際、分岐ダクトを上位の棚受けに設置するときは、分岐ダクトの下方に形成される冷却領域が大きくなる。一方、分岐ダクトを下位の棚受けに設置するときは、分岐ダクトの下方の冷却領域が小さくなる。
【００１０】
また、分岐ダクトは、第１風路の背面部を開閉自在に仕切る冷気ダクト仕切ダンパと、ショーケース本体の側面壁との間隙を開閉する庫内仕切ダンパとを有する構造となっている（請求項２）。
【００１１】
この庫内仕切ダンパの摺動位置は固定部材で任意に設定できるため、分岐ダクトとショーケース本体の側壁面との間の間隙寸法が何れであっても、この間隙寸法に合わせて庫内空間を上下に仕切ることができる（請求項３）。また、庫内仕切用パッキンがショーケース本体の側面壁に密着するため、気密に仕切ることができる（請求項４）。
【００１２】
この冷気ダクト仕切ダンパの摺動位置は固定部材で任意に設定できるため、第１風路の背面部の風路幅寸法が何れであっても、この風路幅寸法に合わせて背面部を上下に仕切ることができる（請求項５）。また、冷気ダクト仕切ダンパが背面部を仕切る際、冷気ダクト仕切ダンパが風路仕切用パッキンに密着するため、背面部を気密に仕切ることができる（請求項６）。
【００１３】
【発明の実施の形態】
図１乃至図９（ａ）（ｂ）は本発明に係るショーケースの一実施形態を示すもので、図１はオープンショーケースの縦断面図、図２はオープンショーケースの要部正面図、図３は分岐ダクトを示す斜視図、図４はダクト上部材とダクト下部材を示す斜視図、図５はダクト上部材の組み付け斜視図、図６はダクト下部材の組み付け斜視図、図７（ａ）（ｂ）（ｃ）は可変吹出ダクトの引き出し操作を示す断面図、図８は可変吹出ダクトの戻し操作を示す断面図、図９（ａ）（ｂ）は庫内仕切ダンパの操作を示す断面図である。
【００１４】
まず、オープンショーケースの概略構成を図１を参照して説明する。オープンショーケース１は前面開口のショーケース本体２１とショーケース本体２１の下方に形成された機械室２２とを有している。このショーケース本体２１は断面コ字状の外側断熱壁２１ａと内箱２１ｂとの間に冷気ダクト３を形成するとともに、内箱２１ｂの前面に棚受け４で支持された商品棚５が上下４段に設置されている。また、冷気ダクト３内には送風機６及び冷却装置である蒸発器７が設置され、機械室２２のコンプレッサ２２ａ等の冷媒が蒸発器７に循環するため、冷気ダクト３内を通る空気が冷却されるようになっている。ここで、送風機６を駆動するとき、ショーケース本体２１内の空気が冷気ダクト３に循環して蒸発器７で冷却され、ショーケース本体２１内に冷風が供給される。具体的に説明すれば、図１の実線矢印に示すように、ショーケース本体２１内の空気が、前面部３ａ→底面部３ｂ→背面部３ｃ→天井部３ｄ→前面部３ａと順次循環し、ショーケース本体２１の前面部３ａにエアーカーテンが形成される（このような冷気循環を以下第１風路Ｈ１と称す）。また、このエアーカーテンは冷気ダクト３の吹出口３ｆと吸込口３ｅとの間に形成されており、このエアーカーテン領域が各商品棚５の前方となるよう、吹出口３ｆ及び吸込口３ｅの位置が設計されている。なお、各商品棚５には図示しない電熱ヒータが設置されており、電熱ヒータに通電するときは各商品棚５に置かれている商品が加熱される。
【００１５】
以上のような構成は前記従来のオープンショーケースと同様である。本実施形態に係るオープンショーケース１は第２風路Ｈ２を形成する分岐ダクト８の構造に特徴を有している。以下、分岐ダクト８の構造を図２乃至図９（ａ）（ｂ）を参照して説明する。
【００１６】
分岐ダクト８は、左右寸法がショーケース本体２１内の左右に設置された棚受け４間の幅寸法となっており、また、前後寸法が同じく棚受け４の前後の寸法長さとほぼ同様の寸法となっている。また、分岐ダクト８の取り付け位置は、図１及び図２に示すように、上から２番目の棚受け４２に設置されているが、最上段の棚受け４１にも設置できるようになっている。即ち、図２に示すように、内箱２１ｂで最上段の棚受け４１及び上から２番目の棚受け４２の直ぐ下には、後述する冷気ダクト仕切ダンパ８２２が貫通するダンパ貫通穴２１ｃとダンパ貫通穴２１ｃを開閉する蓋体２３が形成されている。この蓋体２３は化粧ネジ２３ａで内箱２１ｂの前面に取り付けられ、また、この化粧ネジ２３ａの軸部が上下に延びるネジ案内穴２２ｂに貫通している。これにより、棚受け４１側の蓋体２３のように上に移動して化粧ネジ２３ａで固定するときは、ダンパ貫通穴２１ｃが閉鎖され、一方、２点鎖線に示すように蓋体２３を下に移動して化粧ネジ２３ａで締結するときは、ダンパ貫通穴２１ｃが開口され、分岐ダクト８が設置できるようになる。
【００１７】
分岐ダクト８は、図４に示すように、ダクト上部材８１とダクト下部材８２とから構成されている。
【００１８】
ダクト上部材８１は、図５に示すように、ダクト上板８１１とダクト上板８１１の前側に取り付けられた可変吹出ダクト８１２とを有している。ダクト上板８１１は、図５に示すように、左右両端を下方に向かって断面コ字状に折り曲げたダクト保持片８１１ａが形成され、また、ダクト上板８１１の上面の左右には前後方向に延在された吊下レール８１３が設置されている。この吊下レール８１３はダクト上板８１１の上面との間に前後に延びる隙間ができるよう形成されており、この隙間に図３に示すように棚受け４の下端支持レール４ａが挿入される。また、吊下レール８１３及び下端支持レール４ａにはネジ穴８１３ａ，４ｂが形成されており、化粧ネジ４ｃの軸部をネジ穴８１３ａ，４ｂにねじ込んでいる。なお、図２及び図３では吊下レール８１３の一方（左側の吊下レール）のみを図示しているが、他方（右側の吊下レール）も同様に他方の棚受け４に支持されている。このようなダクト上板８１１の支持構造により分岐ダクト８が棚受け４（４１，４２）に着脱自在に支持される。
【００１９】
可変吹出ダクト８１２は、図７に示すように、下面を開口するとともに前端に斜め下方に向かって延在した案内板８１２ａを有しいる。また、図５にも示すように、可変吹出ダクト８１２はダクト上板８１１の各ダクト保持片８１１ａを介してダクト上板８１１の裏側に挿入されている。これにより、図７（ａ）（ｂ）（ｃ）に示すように、可変吹出ダクト８１２がダクト上板８１１の前方に向かって引き出し自在となっている。また、可変吹出ダクト８１２の上板の裏面には、図５にも示すように、中央を下方に向かって窪ませた係止部材８１４が形成されている。
【００２０】
前記ダクト下部材８２は、図４に示すように、ダクト上部材８１の下面を覆うもので、図６に示すように、ダクト基板８２１と、ダクト基板８２１の上面に設置された冷気ダクト仕切ダンパ８２２と、ダクト基板８２１の左右両端寄りの裏面に設置された２個の庫内仕切ダンパ８２３とを有している。
【００２１】
ダクト基板８２１の左右両側には図６に示すように３個のネジ穴８２１ａが形成されている。また、ダクト基板８２１の上面でネジ穴８２１ａ群の内側には、前後に延在された２個のダンパ保持枠８２１ｂが設置されている。また、各ダンパ保持枠８２１ｂの内側には前後に延在された２個のネジ案内穴８２１ｃが形成されている。
【００２２】
更に、ダクト基板８２１の後端で左右両側には、図６に示すように、断面逆Ｌ字状の２個の連結枠８２１ｄが立設されている。各連結枠８２１ｄは図３に示すようにダンパ上板８１１の後端に挟み込んでおり、これにより、ダンパ上部材８１とダンパ下部材８２とを連結するようなっている。なお、この連結枠８２１ｄとダンパ上板８１１とはネジ又は溶接等により固着している。
【００２３】
更にまた、ダクト基板８２１の前側で長手方向中央には、図６に示すように、方形状の貫通穴８２１ｅが形成されている。また、ダクト基板８２１の裏面で貫通穴８２１ｅの近傍には弾性の引っ掛けプレート８２４が固着されている。この引っ掛けプレート８２４は、図７に示すように、後端側をダクト基板８２１の裏面に固着している。また、引っ掛けプレート８２４の前端側には上方に鋭角に突出した引っ掛け部８２４ａと引っ掛け部８２４ａの前端から前方に操作部８２４ｂが形成されている。引っ掛け部８２４ａは貫通穴８２１ｅから突出しており、可変吹出ダクト８１２の係止部材８１４が係止されている。これら引っ掛けプレート８２４及び係止部材８１４の両者で可変吹出ダクト８１２の前後方向の移動を規制するストッパ部材８３を構成している。
【００２４】
冷気ダクト仕切ダンパ８２２は、図４及び図６に示すように、ダクト基板８２１の上面にプレート状に配置されたもので、図１に示すように、左右方向の寸法が冷気ダクト３の背面部３ｃを完全に閉鎖し得る寸法となっている。また、冷気ダクト仕切ダンパ８２２の左右両辺には前後方向に延びる案内プレート８２２ａが張り付けられている。冷気ダクト仕切ダンパ８２２を図４に示すように各ダンパ保持枠８２１ｂの間に配置する一方、各案内プレート８２２ａを各ダンパ保持枠８２１ｂに当接させ、冷気ダクト仕切ダンパ８２２を前後方向に摺動する構造となっている。
【００２５】
また、冷気ダクト仕切ダンパ８２２の前端の左右両側寄りには断面Ｌ字状に屈曲した脚部８２２ｂが形成され、脚部８２２ｂの裏面に前後方向に延びる滑りプレート８２２ｃが固着されている。この滑りプレート８２２ｃにより冷気ダクト仕切ダンパ８２２が円滑に摺動するようになってる。また、脚部８２２ｂ及び滑りプレート８２２ｃには上下に貫通するネジ穴８２２ｄが形成されており、図６に示すように、化粧ネジ８４１がダンパ基板８２１の裏側からネジ案内穴８２１ｃを介してネジ穴８２２ｄにねじ込まれている。これにより、化粧ネジ８４１を把持して冷気ダクト仕切ダンパ８２２に前後方向への移動力を付与できるようになっている。また、ネジ案内穴８２１ｃ及び案内プレート８２２ａは冷気ダクト仕切ダンパ８２２の案内部材として機能し、また、化粧ネジ８４１は冷気ダクト仕切ダンパ８２２の固定部材として機能している。
【００２６】
なお、化粧ネジ８４１が樹脂材で熱伝導が低い結露し難いこと及び硬度が低いことに着目して固定部材として使用しているが、その他板金にて形成するようにしても良い。
【００２７】
このように構成された冷気ダクト仕切ダンパ８２２において、図７に示すように、その下方に位置するダクト基板８２１との間に通風路８ａが形成されている。また、この通風路８ａは可変吹出ダクト８１２とダクト基板８２１との間に形成された通風路８ｂに連通している。これらの各通風路８ａ，８ｂにより、分岐ダクト８内に第２風路Ｈ２用の冷気通路が形成され、通風路８ｂの先端（可変吹出ダクト８１２の前端とダクト基板８２１の前端との間）には分岐ダクト８の吹出口８ｃが形成されている。
【００２８】
また、図７に示すように、内箱２１ｂで冷気ダクト仕切ダンパ８２２に対応する部位にはダンパ貫通穴２１ｃが形成されている。冷気ダクト仕切ダンパ８２２はダンパ貫通穴２１ｃを通じて冷気ダクト３の背面部３ｃに出し入れできるようになっている。また、この背面部３ｃで外側断熱壁２１ａにはパッキン２１ｄが設置されている。このパッキン２１ｄは冷気ダクト仕切ダンパ８２２の後端面と密着して冷気ダクト３内を気密に仕切るようになっている。
【００２９】
各庫内仕切ダンパ８２３は、図６に示すように、前後方向に縦長に形成したプレートで形成されたもので、前後方向に所定間隔をおいて３個のネジ案内穴８２３ａが形成されている。各ネジ案内穴８２３ａは横長となっており、上下のネジ案内穴８２３ａには段付きネジ８４２が嵌め込まれ、中央のネジ案内穴８２３ａには化粧ネジ８４３が嵌め込まれている。これらの各ネジ８４２，８４３を介して各庫内仕切ダンパ８２３がダクト基板８２１に摺動自在に固定されている。ここで、図９に示すように、段付きネジ８４２の段部がネジ案内穴８２３ａに嵌っており、各庫内仕切ダンパ８２３の前後方向のガタを抑制しつつ左右方向に摺動できるようにしている。また、化粧ネジ８４３の締め付けにより各庫内仕切ダンパ８２３の左右方向の移動を規制し、また、化粧ネジ８４３の弛緩により各庫内仕切ダンパ８２３の移動規制を解除している。これらのネジ案内穴８２３ａ及び段付きネジ８４２は庫内仕切ダンパ８２３の案内部材として機能し、また、化粧ネジ８４３は庫内仕切ダンパ８２３の固定部材として機能している。
【００３０】
また、各庫内仕切ダンパ８２３の端にはパッキン８２３ｂが固着されている。パッキン８２３ｂは庫内仕切ダンパ８２３を外方向に移動した際に、図９（ｂ）に示すように、ショーケース本体２１の側面壁２１ｅに密着する。これにより、分岐ダンパ８によりショーケース本体２１内が上下に仕切られるようになっている。
【００３１】
本実施形態に係るオープンショーケース１において、各商品棚５に置かれた全商品を冷却するときは、図７（ａ）に示すように、可変吹出ダクト８１２をダクト上板８１１の裏面側にほぼ収容し、分岐ダクト８の吹出口８ｃを閉鎖している。また、係止部材８１４が引っ掛けプレート８２４の引っ掛け部８２４ａに係止されているため、可変吹出ダクト８１２の前方への移動が規制されている。また、冷気ダクト仕切ダンパ８２２も同じく、図７（ａ）に示すように、ダクト上板８１１の裏面側に収容され、冷気ダクト３の背面部３ｃから離隔している。これにより、第１風路Ｈ１が連通状態となっており、図１の実線矢印に示すように、ショーケース本体２１内の空気が、前面部３ａ→底面部３ｂ→背面部３ｃ→天井部３ｄ→前面部３ａと順次循環し、ショーケース本体２１の内部全体が冷却される。
【００３２】
次に、各商品棚５のうち、最上段及び上から第２番目の各商品棚５に置かれた商品を加熱し、他の各商品棚５に置かれた商品を冷却するときは、図７（ａ）の実線矢印に示すように、可変吹出ダクト８１２を前方に引く。これにより、係止部材８１４が図７（ｂ）に示すように引っ掛け部８２４ａに圧接し、引っ掛けプレート８２４の弾性力に抗して引っ掛け部８２４ａを下方に向かって押し下げる。
【００３３】
このような可変吹出ダクト８１２の引き出し操作を継続することにより、図７（ｃ）に示すように、係止部材８１４が引っ掛け部８２４ａを乗り越え、可変吹出ダクト８１２の吹出口８ｃが分岐ダクト８１の前方に形成される。
【００３４】
また、この可変吹出ダクト８１２の引き出し操作と相前後して冷気ダクト仕切ダンパ８２２を後方に向かって押し出す。この冷気ダクト仕切ダンパ８２２の押出操作を行うときは分岐ダクト８の下方に両手を入れて各化粧ネジ８４１を弛緩する。そして、図７（ｂ）に示すように、冷気ダクト仕切ダンパ８２２を後方に向かって押し込む。これにより、冷気ダクト仕切ダンパ８２２がダンパ貫通穴２１ｃを通って冷気ダクト３の背面部３ｃに入り込み、図７（ｃ）に示すように、冷気ダクト仕切ダンパ８２２の後端がパッキン２１ｄに密着する。次いで、化粧ネジ８４１を締め直し、冷気ダクト仕切ダンパ８２２を固定する。これにより、背面部３ｃが冷気ダクト仕切ダンパ８２２により上下に遮断される。
【００３５】
更に、庫内仕切ダンパ８２３の引き出し操作を行う。即ち、庫内仕切ダンパ８２３は常時は図９（ａ）に示すようにダンパ基板８２１の裏面に全体が隠れるように配置されており、パッキン８２３ｂが側面壁２１ｅと間隙をおいて離隔している。この引き出し操作の際、化粧ネジ８４３を弛緩し、庫内仕切ダンパ８２３を図９（ｂ）に示すように側面壁２１ｅに向かって引き出し、庫内仕切ダンパ８２３のパッキン８２３ｂを側面壁２１ｅに密着させる。そして、再度化粧ネジ８４３を締め付ける。これにより、分岐ダクト８の側面と側面壁２１ｅとの隙間が閉塞される。
【００３６】
以上のような可変吹出ダクト８１２の引き出し操作、冷気ダクト仕切ダンパ８２２の押し出し操作、更には庫内仕切ダンパ８２３の引き出し操作が終了したときは、ショーケース本体２１内の空気は第２風路Ｈ２を通って循環する。即ち、ショーケース本体２１内の空気は、図１の破線矢印に示すように、吸込口３ｅを通って底面部３ｂを通り、更に背面部３ｃの蒸発器７で冷却されて冷気ダクト仕切ダンパ８２２に向かって上昇する。この上昇した冷気は図７（ｃ）の破線矢印に示すように通風路８ａを通って、更に可変吹出ダクト８１２の通風路８ｂを通り、分岐ダクト８の吹出口８ｃから下方に向かって吹き出され、図１の破線矢印に示すように、再度吸込口３ｅに吸い込まれる。
【００３７】
このような第２風路Ｈ２で冷気循環することより、最下位及び下から２番目の商品棚５に置かれた商品が冷却される。一方、最上位及び上から２番目の商品棚５側には冷気は循環せず、電熱ヒータに通電することにより、これらの商品棚４に置かれた商品が加熱されることとなる。
【００３８】
なお、可変吹出ダクト８１２を戻すときは、図８に示すように、引っ掛けプレート８２４の操作部８２４ｂを指で引っ掛け引き下ろす。これにより、係止部材８１４が引っ掛け部８２４ａから外れ、可変吹出ダクト８１２の後方への移動規制が解除される。次いで、可変吹出ダクト８１２を図８の実線矢印に示すように後方に向かって押し込めばよい。
【００３９】
本実施形態によれば、分岐ダクト８の取り付け位置を最上段の棚受け４１に変更する際は、先ず、化粧ネジ４ｃを弛緩して棚受け４２と分岐ダンパ８との締結状態を解除し、分岐ダンパ８を棚受け４２から外す。また、図２に示すように、棚受け４１側の蓋体２３を２点鎖線に示すように下方に向かって移動させ、ダンパ貫通穴２１ｃを開口する。そして、分岐ダンパ８の吊下レール８１３を棚受け４１の下端支持レール４ａに吊り下げ、化粧ネジ４ｃで分岐ダクト８と棚受け４１とを締結する。これにより、分岐ダクト８の取り付け位置の変更作業が完了し、ショーケース本体２１内の冷却領域を大きくすることができる。
【００４０】
このように、分岐ダクト８の取り付け位置を上下に変更してショーケース本体２１内の冷却領域を変更することができるので、冷却商品と加熱商品との割合を変更することができる。
【００４１】
また、冷気ダクト仕切ダンパ８２２を背面部３ｃに押し出す際、背面部３ｃの幅寸法が何れであっても、冷気ダクト仕切ダンパ８２２がパッキン２１ｃに圧接したところで化粧ネジ８４１を締結すればよく、背面部３ｃの幅寸法に影響さることがない。従って、図１に示すように、背面部３ｃの幅寸法が上方に向かうに従って狭くなっている場合でも、冷気ダクト仕切ダンパ８２２により確実に背面部３ｃを仕切ることができる。また、冷気ダクト仕切ダンパ８２２はパッキン２１ｃにより密着状態となるため、気密性も向上している。
【００４２】
更に、庫内仕切ダンパ８２３を側面壁２１ｅに向かって引き出す際、分岐ダクト８と側面壁２１ｅとの間隙寸法が何れであっても、パッキン８２３ｂが側面壁２１ｅに圧接したところで化粧ネジ８４２を締結すればよく、この間隙寸法に影響されることがない。また、庫内仕切ダンパ８２３はパッキン８２３ｂにより側壁面２１ｅに密着状態となるため、気密性も向上している。
【００４３】
なお、第１風路Ｈ１で冷気を循環させるとき、図７（ａ）に示すように、可変吹出ダクト８１２が分岐ダクト８内に収納されているため、前面部３ａのエアーカーテンが可変吹出ダクト８１２で遮られることがない。また、第２風路Ｈ２で冷気を循環させるときは、図７（ｃ）に示すように、可変吹出ダクト８１２が前方に向かって引き出され、図１の破線矢印で示すように、前面部３ａのエアーカーテンがその下位にある各商品棚５の前方に形成されるため、このエアーカーテンが各商品棚５により遮られることがない。従って、各風路Ｈ１，Ｈ２の何れが選択されても、効率よく商品を冷却することができる。更に、冷気ダクト仕切ダンパ８２２の後端に磁性板（図示しない）を固着する一方、パッキン２１ｄにマグネット（図示しない）を収容することにより、冷気ダクト仕切ダンパ８２２が外側断熱壁２１ａの内面に着脱自在にするようにしてもよい。
【００４４】
【発明の効果】
以上説明したように、請求項１及び請求項２の発明によれば、第２風路を通じて冷風を循環する際、分岐ダクトを上位の棚受けに設置するときは、分岐ダクトの下方に形成される冷却領域が大きくなる。一方、分岐ダクトを下位の棚受けに設置するときは、分岐ダクトの下方の冷却領域が小さくなる。このように、分岐ダクトの設置位置を変更することにより、冷却商品とそれ以外の商品との割合を変更することができる。また、分岐ダクトを取り外すことによって、全ての商品を冷却商品或いはそれ以外の商品とすることもできる。更に、分岐ダクトを取り外すことによって、その分高さ方向に商品収納スペースを大きく取ることができるため、高さ寸法の高い商品が収納することができる。
【００４５】
請求項３の発明によれば、庫内仕切ダンパの摺動位置は固定部材で任意に設定できるため、分岐ダクトとショーケース本体の側壁面との間の間隙寸法が何れであっても、この間隙寸法に合わせて庫内空間を上下に仕切ることができる。また、庫内仕切ダンパを内側に引っ込めることができるので、分岐ダクトを取り外す際、ショーケース本体の側面壁に傷をつけることがない。更に、ショーケース本体の側壁面の内面で分岐ダクトの前方に蛍光灯等が設置されている場合であっても、分岐ダクトを取り外す際、庫内仕切ダンパを内側に引っ込めればよく、蛍光灯等が邪魔になることがない。
【００４６】
請求項４の発明によれば、庫内仕切用パッキンがショーケース本体の側面壁に密着するため、気密に仕切ることができる。
【００４７】
請求項５の発明によれば、冷気ダクト仕切ダンパの摺動位置は固定部材で任意に設定できるため、第１風路の背面部の風路幅寸法が何れであっても、この風路幅寸法に合わせて背面部を上下に仕切ることができる。
【００４８】
請求項６の発明によれば、冷気ダクト仕切ダンパが背面部を仕切る際、冷気ダクト仕切ダンパが風路仕切用パッキンに密着するため、背面部を気密に仕切ることができる。
【図面の簡単な説明】
【図１】オープンショーケースの縦断面図
【図２】オープンショーケースの要部正面図
【図３】分岐ダクトを示す斜視図
【図４】ダクト上部材とダクト下部材を示す斜視図
【図５】ダクト上部材の組み付け斜視図
【図６】ダクト下部材の組み付け斜視図
【図７】可変吹出ダクトの引き出し操作を示す断面図
【図８】可変吹出ダクトの戻し操作を示す断面図
【図９】庫内仕切ダンパの操作を示す断面図
【符号の説明】
１…オープンショーケース、３…冷気ダクト、３ａ…前面部、３ｂ…底面部、３ｃ…背面部、３ｄ…底面部、４，４１，４２…棚受け、５…商品棚、８…分岐ダクト、２１…ショーケース本体、２１ｃ…ダンパ貫通穴、２２…蓋体、８３…ストッパ部材、８１２…可変吹出ダクト、８２１ｃ…ネジ案内穴、８２２ａ…案内プレート、８２２ｂ…脚部、８２２ｃ…滑りプレート、８２３ａ…ネジ案内穴、８４２…段付きネジ、８４３…化粧ネジ、Ｈ１…第１風路、Ｈ２…第２風路。
【図１】
2004286350.tif 000003
【図２】
2004286350.tif 000004
【図３】
2004286350.tif 000005
【図４】
2004286350.tif 000006
【図５】
2004286350.tif 000007
【図６】
2004286350.tif 000008
【図７】
2004286350.tif 000009
【図８】
2004286350.tif 000010
【図９】
2004286350.tif 000011